(57)【要約】      （修正有）【課題】腰をかがめずに立ち姿勢のままで連続して作業が行えるようにする。【解決手段】角度（∠１５°前後）をつけたピン収納部とピン収納部から滑り込むピンを、挿入位置で保持するピン受け具及び挿入用のハンマー部で構成し、これらを配設する器枠から構成されている農業用シート押えピン挿入器である。自然な立ち姿勢で作業が出来る、器具の高さと移動を容易にするため下部に車輪を配設した。また、栽培規模が大きい場合、シートはマルチャーと呼ばれる既存の農機具によって被覆されるが、本考案による器具を装着することにより被覆と同時に機械的に押えピンを挿入する装置として活用することが出来る。【選択図】図３
0003123494.tif 000002
【実用新案登録請求の範囲】
【請求項１】
器本体に配設された傾斜角をもつピン収納ケースと挿入部でピンを受け止めるピン受け具及び垂直に挿し下ろすハンマー部によって構成され、ハンマーを引き上げると挿入部にピン１本が納まるスペースが出来るが収納ケースにある押えピンは後続のピンに押されながら傾斜角に沿って自動的に挿入部のピン受け具の上に滑り込むがこのピン受け具は挿入部の外側で器本体に固着している支え金と連接する回転軸及び引張りスプリングにより保持されている可動金具でありストッパーとなる窓枠の上辺に沿ってその先端は押えピンの厚さ分だけ挿入部に突出しており自動的に滑り込む押えピンをその先端で一本づつ保持しハンマーが挿し下ろされると押えピンと共に押し下げられ挿入が終了してハンマーが引き上げられると引張りスプリングによって元の位置に戻り次に滑り込むピンを受けて保持する構造となっており圃場で押えピン一本の挿入が終了して作業員が任意の間隔で移動する動作を簡易にするために器体下部に車輪を配設して連続した作業を立ち姿勢のままで容易に行えることを特徴とする農業用被覆シート押えピン挿入器。
【考案の詳細な説明】
【技術分野】
【０００１】  本案は農作物へのマルチ栽培で多く利用されている農業用不織布（以下シートと呼称）に関わるシート押え用ピンの挿入作業について、立ち姿勢のままで連続して作業が出来る挿入器に関するものである。【０００２】  北国の遅い春と早い秋の訪れによる短い作物の生育期間を克服するために作物の播種後幼苗期の段階まで畦上をシートで被覆して、低温・風・霜等の自然障害から回避すると共に生育の促進を図る工夫がされている。また、市場の要請に沿って食料品供給の端境期を少なくする、或いは高品質作物を確保するために、こうしたシートを利用した前進栽培が広く普及しているところである。
【背景技術】
【０００３】  従来から、被覆規模が大きい場合マルチャーと呼ばれる装置により機械で被覆され同時に培土刃により両側端を土で押える方法が多く採用されていた。培土による押え方法はシートを回収して反復利用する場合に土砂の付着と破損が多く難点があった。反復利用する場合はピンによる押えが、両端を揃えロールとして硬く巻き取ることが出来るので適当である。しかしながら、固定する押えピンの挿入作業は機械化されておらず、人手を掛けて行う方法が一般的である。この場合、農家の女性作業員が一本づつ腰をかがめて挿入する作業姿勢は非常に厳しく難儀である。
【考案の開示】
【考案が解決しようとする課題】
【０００４】  本考案は、人手を掛けて行う場合、腰をかがめずに立ち姿勢のままで容易に連続した作業が行えるようにする。【０００５】  本考案は、被覆規模が大きい場合に既存の被覆機械に装着して被覆と同時に押えピンを挿入することが出来ることから機械化と大幅な省力化が可能となる。
【課題を解決するための手段】
【０００６】  作業員がシートを固定する押えピンを立ち姿勢の状態で連続して行っても疲労が蓄積されない器体の高さを設定することと器体移動を容易にするために器体下部に車輪を配設した。【０００７】  収納ケースに∠１５°前後の角度をもたせる。垂直に挿し下ろすハンマー部と挿し込んだ後ハンマーを引き上げると次に挿し込む押えピン一本が収納ケースの傾斜と移動時の振動によって挿入部のピン受け具の上に自動的に滑り込む構造とした。【０００８】  ピン受け具は、挿入スペースの外側で器本体に固着している支え金と連接する半回転軸及び引張りスプリングにより保持されている可動金具でありストッパーとなる窓枠の上辺に沿ってその先端は押えピンの厚さ分だけ挿入スペースに突出している。順次挿入される押えピンをその先端で一本づつ保持し、ハンマーが挿し下ろされると押えピンと共に押し下げられ挿入が終了してハンマーが引き上げられると引張りスプリングによって窓枠上辺の位置に戻り次に滑り込むピンを受けて保持する。
【考案の効果】
【０００９】  従来、人手により腰をかがめて行っていた疲労度の高い作業姿勢は機械化によって開放すべき事柄であったが、機械装置を導入できない小規模の場合でも個々の作業が本考案器具によって立ち姿勢のままで容易に連続して行える改善効果は大きい。【００１０】  また、人手により腰をかがめ手先で体重を掛けながら挿し込んでいた押えピンは、挿し込む土の固さにより過度の体重を掛けるため曲がって破損していたが、本考案器具によって立ち姿勢のまま、小さな加重によりハンマーが常に垂直に挿し下ろされることから押えピンも真っ直ぐに挿し込まれ労力が大幅に軽減される。【００１１】  従来、被覆シートは規模が大きい場合は風で移動しないように被覆と同時に両側端を培土等によって押えていたが、再利用するための回収時に培土の除去や付着・破損が生じ難点があった。本考案によってピンの抜き取り作業の手間は掛かるが、両端を揃え硬くロール状に巻き取る回収作業が円滑に行われことになり再利用度が高くなる。
【考案を実施するための最良の形態】
【００１２】  以下、本考案の実施の形態を図１〜図１０に基づいて説明する。【００１３】  図１において、３は挿し込みハンマーに連接した腕杵２と把手１により挿し込み機構全体を押し下げる。４は∠１５°前後の傾斜角を持った押えピン５の収納ケースである。【００１４】  押えピン５は図６の補強桟５ａの下辺が図１０の収納ケース４に跨る形で保持されている。【００１５】  ピン受け具８は支持金９の下端を回転軸７として且つ図８窓枠１４の上辺をストッパーとして支持金９の上方から下がる引張りスプリング６によって常に緊迫されている。ピン受け具８の先端はハンマー３が引き上げられると同時に収納ケース４から滑り込む押えピン５の補強桟５ａの下辺を受け挿し込みハンマー３が下りてくると図２−８及び図５−８に示す通り窓枠１４下辺まで押し下がる。押えピン５の補強桟５ａの下辺まで地中に挿し込まれるとハンマー３が引き上げられ窓枠１４上辺のストッパーの位置に戻って水平になり次に滑り込む押えピン５の１本を受け保持する。【００１６】  図２及び図５に示す通り押えピン１本あたりの挿し込みが終了すると同時に器体を次の挿し込み地点に図３のごとく若干の傾斜を持たせながら車輪１０を支点にして移動する。移動のための傾斜と振動により押えピン５は確実にピン受け具８の先端に滑り込む。【００１７】  本考案器具は、上記の実施形態を繰り返すことによりピン挿入作業の省力化と迅速性を発揮するものである。
【図面の簡単な説明】
【００１８】  以下、本考案による農業用被覆シート押えピン挿入器の図面について説明する。
図１は本考案器具に押えピンを配列した挿し込み前の側面図であって各部の記号を示す。
図２は本考案器具に押えピンを配列した挿し込み時の側面図であって各部の記号を示す。
図３は本考案器具に押えピンを配列した挿し込み後移動時の側面図であって各部の記号を示す。
図４は本考案器具の押えピン挿し込み前の背面図であって各部の記号を示す。
図５は本考案器具の押えピン挿し込み時の背面図であって各部の記号を示す。
図６は本考案器具の不織布押えピンの正面図と側面図であって各部の記号を示す。
図７は本考案器具のピン挿し込みハンマーを示す背面図であって各部の記号を示す。
図８は本考案器具の挿し込みハンマーの支持枠とピン受け具が水平を保つ窓枠上辺とピン受け具がハンマーとピンによって押し下げられる範囲の窓枠を表す背面図であって各部の記号を示す。
図９は本考案器具の押えピン収納ケースの側面図であって各部の記号を示す。
図１０は本考案器具の押えピン収納ケースの上面分解図であって各部の記号を示す。
【符号の説明】
【００１９】  １    把手
２    腕杵
３    挿し込みハンマー
４    ピン収納ケース
５    押えピン
５ａ  押えピン補強桟
６    引張りスプリング
７    ピン受け具支点
８    ピン受け具
９    ピン受け具支え金
１０    移動用車輪
１１    車輪支え金
１２    安定板
１３    本体器枠
１４    ピン受け具ストッパー窓枠
１５    挿し込みハンマー押え板
１６    垂直挿し込みガイド板
【図１】
0003123494.tif 000003
【図２】
0003123494.tif 000004
【図３】
0003123494.tif 000005
【図４】
0003123494.tif 000006
【図５】
0003123494.tif 000007
【図６】
0003123494.tif 000008
【図７】
0003123494.tif 000009
【図８】
0003123494.tif 000010
【図９】
0003123494.tif 000011
【図１０】
0003123494.tif 000012